【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】  ａ．１つの種において高レベルのバイオマスを得るための第１の親系を選択し；
ｂ．ウイルスベクターによるトランスフェクションからの異種タンパク質を高レベルで全身的に発現する能力がある別の種の第２の親系を選択し；
ｃ．高バイオマスの第１親と高発現レベルの第２親を交雑させて種間雑種を作成し；
ｄ．染色体倍数雑種を選択し；次いで
ｅ．得られる種子を収集する；
ことを特徴とするタバコ属種間雑種の作成方法。
【請求項２】  種子が、高レベルバイオマスとウイルスベクターによるトランスフェクションからの異種タンパク質を高レベルで全身的発現する能力の両方を有する植物を作成する請求項１に記載の得られる種子。
【請求項３】  請求項２に記載の種子の組織培養物。
【請求項４】  請求項３に記載の組織培養物から再生されたタバコ属植物。
【請求項５】  請求項２に記載の種子の成長によって作成されるタバコ属植物またはその部分。
【請求項６】  請求項５に記載の植物またはその部分の再生可能な細胞の組織培養物。
【請求項７】  再生可能な細胞が、胚、分裂組織細胞、花粉、葉、葯、根、根端、花、種子、茎または原形質体もしくはそれらから誘導されたカルスである請求項６に記載の組織培養物。
【請求項８】  請求項７に記載の組織培養物から再生されたタバコ属植物。
【請求項９】  請求項５に記載のタバコ属植物またはその部分の本質的にすべての生理学的および形態学的特徴を有するタバコ属植物。
【請求項１０】  第１親または第２親が請求項５に記載のタバコ属植物であって、
a)第１親であるタバコ属植物と第２親であるタバコ属植物を交雑させ；次いで、
b)得られる雑種タバコ属の種子を収集する；
ことを特徴とするタバコ属種子の作成方法。
【請求項１１】  請求項１０に記載の方法によって作成されたタバコ属雑種の種子。
【請求項１２】  請求項１１に記載のタバコ属雑種の種子の成長によって作成されるタバコ属雑種植物またはその部分。
【請求項１３】  請求項１２に記載のタバコ属雑種植物から作成されたタバコ属の種子。
【請求項１４】  請求項１３に記載のタバコ属の種子から作成されたタバコ属植物またはその部分。
【請求項１５】  単一遺伝子変換をさらに特徴とする請求項５に記載のタバコ属植物。
【請求項１６】  遺伝子がトランスジェニック遺伝子である請求項１５に記載のタバコ属植物の単一遺伝子変換。
【請求項１７】  遺伝子が優性対立遺伝子である請求項１５に記載のタバコ属植物の単一遺伝子変換。
【請求項１８】  遺伝子が劣性対立遺伝子である請求項１５に記載のタバコ属植物の単一遺伝子変換。
【請求項１９】  遺伝子が除草剤耐性を付与する請求項１５に記載のタバコ属植物の単一遺伝子変換。
【請求項２０】  遺伝子が昆虫耐性を付与する請求項１５に記載のタバコ属植物の単一遺伝子変換。
【請求項２１】  遺伝子が細菌，真菌またはウイルス疾患耐性を付与する請求項１５に記載のタバコ属植物の単一遺伝子変換。
【請求項２２】  遺伝子が雄性不稔性を付与する請求項１５に記載のタバコ属植物の単一遺伝子変換。
【請求項２３】  遺伝子が改良された栄養品質を付与する請求項１５に記載のタバコ属植物の単一遺伝子変換。
【請求項２４】  第１親系がＴＷ４７であり、第２親系がＡＴＣＣ受託番号ＰＴＡ−３２３として寄託されるＴＷ１６である請求項１に記載の方法によって作成された雑種の種子。
【請求項２５】  第１親系がＴＷ４７である請求項１に記載の方法。
【請求項２６】  第２親系がＴＷ１６である請求項１に記載の方法。
【請求項２７】  染色体倍数雑種が、コルヒチンまたは中央脈再生を用いる処理後に選ばれる請求項１に記載の方法。
【請求項２８】  ａ．ウイルスベクターによるトランスフェクションからの異種タンパク質を高レベルで全身的に発現する能力がある反復親として種間雑種の１つの親を選択し；
ｂ．該種間雑種を反復親に戻し交雑して後代を作成し；
ｃ．ステップbの後代を反復親に戻し交雑して、得られる後代を作成し；
ｄ．反復親より多いバイオマスおよびウイルスベクターからの全身的タンパク質発現能力が最初の種間雑種よりも大きいことの両方について、該ステップcから得られる後代を選択し；
ｅ．バイオマスおよび全身的タンパク質発現の選択した特質が後代に維持されるまで、選択した後代を用いてc−dのステップを繰り返し；
ｆ．ステップｅの得られる後代からの種子を集める；
ことを特徴とするタバコ属種間雑種から戻し交雑後代を作成する方法。
【請求項２９】  種子が、高レベルのバイオマスおよびウイルスベクターによるトランスフェクションからの異種タンパク質の高レベルの全身的発現能力の両方を有する植物を作成する請求項２８に記載の方法から作成される得られる種子。
【請求項３０】  請求項２９に記載の種子の成長によって作成されるタバコ属植物またはその部分。
【請求項３１】  請求項３０に記載の植物またはその部分の再生可能な細胞の組織培養物。
【請求項３２】  再生可能な細胞が、胚、分裂組織細胞、花粉、葉、葯、根、根端、花、種子、茎または原形質体もしくはそれらから誘導されたカルスである請求項３１に記載の組織培養物。
【請求項３３】  請求項３２に記載の組織培養物から再生されたタバコ属植物。
【請求項３４】  請求項３０に記載のタバコ属植物またはその部分の本質的にすべての生理学的および形態学的特徴を有するタバコ属植物。
【請求項３５】  ａ．最初の種間雑種よりも多いバイオマスに基づいて反復親として種間雑種の１つの親を選択し；
ｂ．該種間雑種を反復親に戻し交雑し；
ｃ．ステップbの得られる後代を反復親に戻し交雑し；
ｄ．ウイルスベクターからの全身的タンパク質発現能力が最初の種間雑種よりも大きいことおよ最初の種間雑種より高レベルのバイオマスについて、該ステップcから得られる後代を選択し；
ｅ．バイオマスおよび全身的タンパク質発現の選択した特質が後代に維持されるまで、選択した後代を用いてc−dのステップを繰り返し；
ｆ．ステップｅの得られる後代からの種子を集める；
ことを特徴とするタバコ属種間雑種から戻し交雑後代を作成する方法。
【請求項３６】  請求項３５に記載の方法から作成された種子。
【請求項３７】  請求項３６に記載の種子の成長によって作成されるタバコ属植物またはその部分。
【請求項３８】  請求項３７に記載のタバコ属植物またはその部分の本質的にすべての生理学的および形態学的特徴を有するタバコ属植物。
【請求項３９】  請求項３８に記載の種子の組織培養物。
【請求項４０】  請求項３９に記載の組織培養物から再生されたタバコ属植物。
【請求項４１】  請求項３７に記載の植物またはその部分の再生可能な細胞の組織培養物。
【請求項４２】  再生可能な細胞が、胚、分裂組織細胞、花粉、葉、葯、根、根端、花、種子、茎、原形質体およびそれらから誘導されたカルスから選ばれる請求項４１に記載の組織培養物。
【請求項４３】  請求項４２に記載の組織培養物から再生されたタバコ属植物。
【請求項４４】  ａ．最初の種間雑種よりも多いバイオマスに基づいて反復親として種間雑種の１つの親を選択し；
ｂ．該種間雑種を反復親に戻し交雑し；
ｃ．ステップbの得られる後代を自家受粉させ；
ｄ．反復親より多いバイオマスおよびウイルスベクターからの全身的タンパク質発現能力が最初の種間雑種よりも大きいことについて、該ステップcから得られる自家受粉後代を選択し；
ｅ．バイオマスおよび全身的タンパク質発現の選択した特質が後代に維持されるまで、自家受粉後代を用いてc−dのステップを繰り返し；
ｆ．ステップｅの得られる後代からの種子を集める；
ことを特徴とするタバコ属種間雑種から戻し交雑後代を作成する方法。
【請求項４５】  請求項４４に記載の方法によって作成された雑種の種子。
【請求項４６】  請求項４５に記載の種子の成長によって作成されるタバコ属植物またはその部分。
【請求項４７】  再生可能な細胞、またはその部分が、胚、分裂組織細胞、花粉、葉、葯、根、根端、花、種子、茎または原形質体もしくはそれらから誘導されたカルスから選ばれる請求項４６に記載の組織培養物。
【請求項４８】  請求項４７に記載の組織培養物から再生されたタバコ属植物。
【請求項４９】  請求項４６に記載の種子の組織培養物。